(57)【要約】【課題】  フロア面との隙間が大きい場合でも、小さい場合でも使用することができ、操作感が良好であり、汎用性が高く施工性の良いフランス落とし装置を提供する。【解決手段】  フランス落とし装置１は、ベース体１０に対して所定のストロークＳで上下動可能に支持されたロックバー１５を備えており、該ロックバーの下端部をフロア面２０に形成した凹部２１に係合させて子ドア２を固定する装置であり、ロックバー１５はストロークＳの途中の少なくとも１つの中間位置で保持されるように構成され、３段階以上の停止位置で停止できるように構成されている。停止位置は、例えば上昇位置１４Ａ、下降位置１４Ｂと、それらの間の中間位置１４Ｃであり、中間位置でロックバー１５はバネ片１６が係合部１３ｂに係合して保持される。【選択図】  図１
2005188117.tif 000002
【特許請求の範囲】
【請求項１】
ベース体に対して所定のストロークで上下動可能に支持されたロックバーを備えており、該ロックバーの下端部をフロア面等に形成した凹部に係合させてドア等を固定するフランス落とし装置であって、
前記ロックバーは、前記ストローク途中の少なくとも１つの中間位置で保持されるように構成されていることを特徴とするフランス落とし装置。
【請求項２】
前記ロックバーは、前記中間位置、前記ストローク上端の上昇位置、および前記ストローク下端の下降位置のいずれか１つの停止位置で保持されることを特徴とする請求項１に記載のフランス落とし装置。
【請求項３】
前記ベース体にバネの一端が固定され、前記ロックバーには前記上昇位置、中間位置および下降位置に対応してそれぞれ係合部が形成され、前記バネの他端を前記係合部に選択的に係合することにより前記保持状態が成されることを特徴とする請求項２に記載のフランス落とし装置。
【発明の詳細な説明】
【技術分野】
【０００１】
本発明は、例えば親子ドア等の子ドアを固定するフランス落とし装置に係り、特に、落とし棒やロックバーの上下ストロークを大きくしてフロア面に形成した凹部に進入するロックバー等を３段階以上の位置で停止できるようにしたフランス落とし装置に関する。
【背景技術】
【０００２】
従来、この種のフランス落としは、扉体における縦框の下部に埋め込まれるケースに棒状の係止部材が昇降可能に配置され、係止部材の少なくとも先端部が断面において非円形に形成されているとともに周面に軸線方向へ延びる螺旋条が形成されており、且つ、ケースに螺旋条に嵌合して係止部材を上下に移動させたときに、係止部材を軸心を中心として回転させるためのガイドが設けられている（例えば、特許文献１参照）。
【０００３】
【特許文献１】特開平７−３３１９４３号公報
【発明の開示】
【発明が解決しようとする課題】
【０００４】
ところで、前記構造のフランス落としは、係止部材である落とし棒は上下の２位置で停止できるように構成されている。すなわち、上昇位置では落とし棒はドア内に収納されて、ドアは揺動可能な状態となり、下降位置ではフロア面に形成された凹部等に進入してドアを固定状態としている。このような構成を有するフランス落としを固定するドア等は、２００３年７月の建築基準法の改正により、住居内は２４時間、強制換気することが必要となり、ドア等の下端面とフロア面との隙間を広く開けて通気路確保を行うこともある。
【０００５】
この場合には、通気路確保のためドア下の隙間の高さが大きくなり、フランス落としの落とし棒は大きなストロークが必要となる。このように落とし棒のストロークが大きいフランス落としを、ドア下面とフロア面との隙間が通常であるドアに取付けた場合、落とし棒は短いストロークでフロア面の凹部底面に突き当たり、上下ストロークの途中位置で止まってしまう。このため、落とし棒の停止位置にクリック感がなく、操作性に不安が生じていた。
【０００６】
本発明は、このような問題に鑑みてなされたものであって、その目的とするところは、ドア下端面とフロア面との間の隙間が大きいドアに固定することができるとともに、上下のストロークが大きいフランス落とし装置を隙間の小さいドアに固定し、ロックバーを途中で止めた場合でも操作感がよく、ロックバーが保持されて落下することのないフランス落とし装置を提供することにある。
【課題を解決するための手段】
【０００７】
前記目的を達成すべく、本発明に係るフランス落とし装置は、ベース体に対して所定のストロークで上下動可能に支持されたロックバーを備えており、該ロックバーの下端をフロア面等に形成した凹部に係合させてドア等を固定する装置であって、ロックバーは前記ストローク途中の少なくとも１つの中間位置で保持されるように構成されていることを特徴とする。すなわち、ストローク上端の上昇位置と、ストローク下端の下降位置と、例えばそれらの間の中間位置の３段階の停止位置に停止できるように構成され、中間位置でロックバーは保持される。
【０００８】
前記のごとく構成された本発明のフランス落とし装置は、上下ストロークの途中に少なくとも１つの停止位置で、ロックバーが停止、保持されるため、ドア等の下端面とフロア面との間の隙間が大きい場合は下降位置までロックバーを下降させ、隙間が小さいときにはロックバーを中間位置まで下降させて、ドア等を固定する。そして、中間位置でバネ等によりロックバーは保持されるため操作感が良好となり、隙間の大小によりフランス落とし装置を変更する必要がなく、操作の不安感が生じない。
【０００９】
また、本発明に係るフランス落とし装置の好ましい具体的な態様としては、前記ロックバーは、前記中間位置、前記ストローク上端の上昇位置、前記ストローク下端の下降位置のいずれか１つの停止位置で保持されることを特徴としている。すなわち、ロックバーは上昇位置、下降位置では上下ストロークを決める長孔等で位置決めされるとともに保持され、中間位置でも保持されるため、３つの位置のどの位置で止めても安定した状態となり、操作感を向上させることができる。
【００１０】
さらに、本発明に係るフランス落とし装置の好ましい具体的な他の態様としては、前記ベース体にバネの一端が固定され、ロックバーには上昇位置、中間位置および下降位置に対応してそれぞれ係合部が形成され、バネの他端をこれらの係合部に選択的に係合することにより前記の保持状態が成されることを特徴とする。この構成によれば、簡単な構成でロックバーを３つの位置のいずれか１つの停止位置に確実に停止させて保持することができ、操作感も好ましい。
【発明の効果】
【００１１】
本発明によれば、上下ストロークの大きいフランス落とし装置を、ドア下面とフロア面との隙間が大きい場合でも、小さい場合でも、不安感や違和感なく使用することができ、操作時にクリック感があり操作感が良好であるとともに、ドア等を確実に固定することができる。このため、フランス落とし装置の汎用性を高めることができると共に、施工性を向上させることができる。
【発明を実施するための最良の形態】
【００１２】
以下、本発明に係るフランス落とし装置の一実施形態を図面に基づき詳細に説明する。図１は、本実施形態に係るフランス落とし装置を示し、（ａ）は正面図、（ｂ）はその一部破断側面図、（ｃ）はその背面図、（ｄ）は（ｂ）の底面図、図２は、動作状態を示す断面図である。
【００１３】
図１，２において、フランス落とし装置１は、例えば親子ドアの子ドアを通常は固定しておき、必要なときに開くための固定装置であり、子ドア２のヒンジ取付け部と反対の揺動側の上下コーナー部に固定される。フランス落とし装置１は断面が略Ｌ字状の金属板材で形成したベース体１０に対して、所定のストロークＳで上下動可能に支持されたロックバー１５を備えている。そして、ロックバー１５は上昇位置、下降位置で停止できるとともに、中間の少なくとも１つの停止位置で停止できる構成となっている。
【００１４】
ベース体１０の垂直部１０ａは長く、水平部１０ｂは短く形成され、フランス落とし装置１は、この直角のコーナー部をドアの揺動側の上側や下側のコーナーに合わせて取付けられる。ベース体１０の垂直部１０ａ上部と、水平部１０ｂの端部に子ドア２に取付けるビス３用に取付け孔１０ｃが形成されている。
【００１５】
ベース体１０の垂直部１０ａには正面側に縦長の長円状の段差部１１が形成され、段差部１１の中央には縦長の長方形の長孔１２が形成されている。段差部１１の裏面には縦長の帯板状のスライダー１３が位置している。スライダー１３は上部が平坦で、中間部から下方部にかけて３つの係合部１３ａ，１３ｂ，１３ｃが形成され、下端にはフロア面２０の凹部２１に進入する突出体１４が連結されている。スライダー１３と突出体１４とにより子ドア２を固定するロックバー１５を構成する。
【００１６】
スライダー１３の下端に連結される突出体１４は、円柱状の軸で形成されており、本実施形態ではスライダー１３の下端の先細部が突出体１４の上方開口の穴に挿入され、溶接で固定されている。そして、突出体１４はベース体１０の水平部１０ｂにある規制孔１０ｄに上下動可能に緩く嵌合している。なお、スライダー１３と突出体１４との連結は前記のように先細部を挿入して溶接する例に限らず、単なる突合せ溶接による固定や、ねじ止めあるいはカシメ等による固定でもよい。
【００１７】
スライダー１３の平坦部と段差部裏面との間には位置決め用のバネ片１６が挟まれ、正面側から段差部１１内に位置する操作片１７が長孔１２を貫通してスライダー１３の平坦部に固定されている。板状のバネ片１６は長孔１２と略同一形状の貫通孔が形成され、正面側に立設された爪部が長孔の上下の縁に係合しており、バネ片１６を位置決めすると共に、操作片１７を上下動可能としている。バネ片１６はスライダー１３の係合部１３ａ，１３ｂ，１３ｃのいずれかに係合する突部１６ａを下端部に形成してあり、スライダー１３を複数の位置、例えば３つの位置に保持する機能を有する。なお、バネ片１６はベース体１０の裏面に溶接等で固定してもよい。
【００１８】
操作片１７の水平方向の幅は長孔１２の水平方向幅より大きく設定され、操作片１７の両端部が長孔１２の側壁に係合することで、スライダー１３がベース板１０から離脱するのを防止している。したがって、操作片１７を長孔１２内で上下に移動させることで、スライダー１３のストロークＳが決められる。このストロークＳがロックバー１５の出寸法（突出量）Ｂである。本実施形態のフランス落とし装置１は、子ドアの下端とフロア面との隙間が大きい場合を想定し、このストロークＳが一般的なストロークより大きく設定されている。
【００１９】
この構成により、ロックバー１５の下端の突出体１４は、突出体の先端が規制孔１０ｄ内に位置するか、僅かに突出する上昇位置１４Ａと、ストロークＳで下降させたときの下降位置１４Ｂと、その中間の中間位置１４Ｃに停止させることができる。そして、前記の３つの位置に対応してスライダー１３には３つの係合部１３ａ，１３ｂ，１３ｃが形成され、バネ片１６の先端の突部１６ａが係合部の１つに選択的に係合することで、スライダー１３は３つの位置のいずれかに選択的に保持される。
【００２０】
中間位置１４Ｃにおける突出体１４の突出量はＡであり、下降位置１４Ｂにおける突出量はＢである。図１ａの突出体１４は上昇位置を示し、上方の二点鎖線位置１４Ｃは中間位置、下方の二点鎖線位置１４Ｂは下降位置である。上方の二点鎖線位置１４Ａではバネ片１６の突部１６ａは係合部１３ａに位置し、下方の二点鎖線位置１４Ｂではバネ片１６の突部１６ａは係合部１３ｃに位置し、中間の二点鎖線位置１４Ｃではバネ片１６の突部１６ａは係合部１３ｂに位置する。このように、３つの停止位置でロックバー１５はバネ片１６の突部１６ａで保持され位置決めされる。
【００２１】
本実施形態のフランス落とし装置１は、例えば子ドア２の揺動側の下端部に陥没部４を形成し、この陥没部にスライダー１３や突出体１４を挿入した状態で固定用のビス３を取付け孔１０ｃ，１０ｃに挿入して固定する。フランス落とし装置１は、ベース体１０に対してストロークＳで上下動可能に支持されたロックバー１５を備え、フロア面２０に形成された凹部２１にロックバー１５の下端の突出体１４を進入、係合させてロック状態とし、子ドア２を固定する。凹部２１は、金属板材をプレス加工した逆キャップ状の受け部材２２を固定すると好ましい。受け部材２２としては金属板材のプレス品に限らず、プラスチックの成型体や、金属鋳物で形成してもよい。
【００２２】
前記の如く構成された本実施形態のフランス落とし装置１の動作について説明する。フランス落とし装置１で子ドア２を固定するときは、図１の上昇位置から段差部１１内の操作片１７を下方に押圧して長孔１２の下端まで下降させると、図２ａに示すように操作片１７とともにスライダー１３が下降し、スライダー下端に連結された突出体１４が下降位置１４Ｂに到達し、フロア面２０の凹部２１に進入して子ドア２が固定される。すなわち、操作片１７の下降操作でロックバー１５が下降して、下端の突出体１４が突出量Ｂだけ移動して凹部２１内に進入する。
【００２３】
フランス落とし装置１のスライダー１３のストロークＳは前記のとおり予め決まっており、フロア面２０と子ドア２下端面との隙間Ｈが図２ａのように大きい場合は、突出体１４はストロークＳと等しい突出量Ｂで凹部２１内に深く進入して係合状態が安定し、子ドア２に衝撃が加わっても突出体１４が凹部２１から外れることはない。図２ａの状態では、バネ片１６の突部１６ａはスライダー１３の上方の係合部１３ｃに係合して保持され安定している。
【００２４】
しかし、図２ｂのように、子ドア２とフロア面２０との隙間ｈが小さい場合には、突出体１４は凹部２１の底面に到達して途中で停止するが、本実施形態のフランス落とし装置１はストロークＳの途中に中間停止位置があり、ロックバー１５を安定した状態で停止させることができる。すなわち、操作片１７を下降操作し、バネ片１６の突部１６ａがスライダー１３の中間の係合部１３ｂに係合する位置で停止させることができる。この中間位置１４Ｃではロックバー１５の突出体１４が凹部２１に最適な状態で進入し突出体１４が凹部２１に最適な状態で係合する。
【００２５】
特に、建築基準法の改正により、室内換気が必要となって子ドア２の下端面とフロア面２０との隙間が大きい場合にも、大きいストロークＳで係合深さを大きくでき確実な固定が可能となり、例えば荷物等を持ってドア部と通過するときに子ドア２に接触したとき等に、子ドア２の固定が外れてフロア面２０の凹部２１から突出体１４が脱出し、フロア面２０に突出体１４が傷付けることを防止できる。
【００２６】
また、本実施形態のフランス落とし装置１に備わるロックバー１５は、下端の突出体１４の突出量を２段階とし、フロア面とドア下面との隙間に合わせて２段階の突出量のいずれかの突出量で子ドア２を固定するため、図２ｂに示されるように、隙間ｈが小さい場合でもフロア面２０の凹部２１との係合深さを最適な状態とすることができ、固定状態を安定させることができる。この結果、ドア等に衝撃が加わっても、突出体１４がフロア面２０の凹部２１から外れてフロア材を傷付けることが防止される。この中間位置での停止は、バネ片１６の突部１６ａがスライダー１３の中間の係合部１３ｂに係合して保持するため操作時にクリック感があり、中間位置の停止の際に、不安感が全く生じない。また、上昇位置１４Ａ、下降位置１４Ｂでも、ロックバー１５は係合部１３ａ，１３ｃでバネ片１６の突部１６ａにより保持され安定するため、操作感が向上する。
【００２７】
このように、本発明のフランス落とし装置は、ドア下端面とフロア面との隙間が異なる場合でも取付けることができ、前記の隙間が大きい場合は全ストロークで下降させ、隙間が小さい場合は中間位置までのストロークで下降させることができる。そして、中間位置でロックバー１５を保持することができるため、操作感が良好で操作が安定し、途中位置での停止による不安感や違和感を払拭することができる。このため、フランス落とし装置の汎用性を向上させることができ、施工を容易とすることができる。
【００２８】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、フランス落とし装置を親子ドアの子ドアに取付けた例を示したが、同じ形状の両開きドアの一方に取付けてもよい。また、ロックバーはスライダーと、その下端に連結した突出体とから構成される例を示したが、１本の丸棒状のロックバーで構成してもよい。中間位置は上昇位置と下降位置との中間としたが、均等な距離でなくてもよいのは勿論である。
【００２９】
さらに、ロックバーの停止位置を３段階とした例を示したが、４段階以上の停止位置を有するものでもよい。例えば４段階の場合は、スライダーの係合部は少なくとも中間に２個形成され、上下を含めて４個形成されると好適である。スライダーを保持する係合部として断面形状が半円形の係合部の例を示したが、断面がＶ字状の係合部でもよく適宜変更できる。また、係合部に係合して保持する構成として、球状の突起や、鋼球をバネで押付ける構成等、適宜用いることができる。
【産業上の利用可能性】
【００３０】
本発明の活用例として、このフランス落とし装置を用いて門扉の片側に取付けることができ、外構の用途にも適用できる。なお、門扉の場合、フロア面でなく、モルタル面に凹部を形成することが必要となる。
【図面の簡単な説明】
【００３１】
【図１】本発明に係るフランス落とし装置の一実施形態を示し、（ａ）は正面図、（ｂ）は一部を破断した側面図、（ｃ）は背面図、（ｄ）は（ｂ）の底面図。
【図２】図１のフランス落とし装置の動作説明図であり、（ａ）は隙間が大きい場合の固定状態の断面図、（ｂ）は隙間が小さい場合の固定状態の断面図。
【符号の説明】
【００３２】
１：フランス落とし装置、１０：ベース体、１２：長孔、１３：スライダー、１３ａ，１３ｂ，１３ｃ：係合部、１４：突出体、１４Ａ：停止位置（上昇位置）、１４Ｂ：停止位置（下降位置）、１４Ｃ：停止位置（中間位置）、１５：ロックバー、１６：バネ片（保持手段）、１７：操作片、２０：フロア面、２１：凹部、Ｓ：ストローク、Ａ：突出量（中間位置）、Ｂ：突出量（下降位置）
【図１】
2005188117.tif 000003
【図２】
2005188117.tif 000004